(57)【要約】      （修正有）【課題】電子機器とそれを搭載した自動車に関するもので、使い勝手を向上させること。【解決手段】本体ケース１０と、この本体ケース１０の開口部に配置された平面状の表示素子１１と、この表示素子１１の表面側に配置された透明タッチパネル１２と、この透明タッチパネル１２の表面側に配置された表面フィルム１３とを備え、表面フィルム１３の外周を、透明タッチパネル１２の外周よりも大きくするとともに、この表面フィルム１３の外周部１４は、外周に向かって徐々に肉厚が厚くなる形状とした。【選択図】図７
2014174308.tif 000002
【特許請求の範囲】
【請求項１】
本体ケースと、この本体ケースの開口部に配置された平面状の表示素子と、この表示素子の表面側に配置された透明タッチパネルと、この透明タッチパネルの表面側に配置された表面フィルムとを備え、前記表面フィルムの外周を、前記透明タッチパネルの外周よりも大きくするとともに、この表面フィルムの外周部は、外周に向かって徐々に肉厚が厚くなる形状とした電子機器。
【請求項２】
表面フィルムの外周の最肉厚は、本体ケースの開口縁部分よりも前方側に突出させた請求項１に記載の電子機器。
【請求項３】
請求項１または２に記載の電子機器を、運転席の前方側方に配置した自動車。
【発明の詳細な説明】
【技術分野】
【０００１】
本発明は、電子機器とそれを搭載した自動車に関するものである。
【背景技術】
【０００２】
自動車の車内等に配置される電子機器は、本体ケースと、この本体ケースの開口部に配置された平面状の表示素子と、この表示素子の表面側に配置された透明タッチパネルとを備えた構成となっていた（これに関係する先行文献としては、例えば下記特許文献１が存在する）。
【０００３】
すなわち、透明タッチパネルを透して表示素子が目視できるようになっており、また表示素子に表出させた文字やマークを目印にして透明タッチパネルの操作を行うことができるようにしているのである。
【先行技術文献】
【特許文献】
【０００４】
【特許文献１】特開２００６−５３７９６号公報
【発明の概要】
【発明が解決しようとする課題】
【０００５】
上記従来例における課題は、透明タッチパネル表面の掃除に関する手間がかかり、使い勝手が悪いと言うことであった。
【０００６】
すなわち、上記従来例では、透明タッチパネルが表出しているので、そこには埃が付きやすくなっている。
【０００７】
このため、この透明タッチパネルの表面を拭くことで、その埃を除去することになるが、この透明タッチパネルの外周部は、前記本体ケースの開口縁で覆った状態としているので、この透明タッチパネルの外周部と、前記本体ケースの開口縁とが接する部分には指先が届かず、掃除がしにくく、その結果として、透明タッチパネルの外周部には埃が溜まった状態となっていることが多い。
【０００８】
したがって、この部分の埃を除去するためには、例えば、綿棒などを用意し、それを本体ケースの開口縁内周側に沿って移動させることなども必要となり、極めて手間のかかるもので、使い勝手の悪いものであった。
【０００９】
そこで、本発明は、使い勝手を良くすることを目的とするものである。
【課題を解決するための手段】
【００１０】
そしてこの目的を達成するために本発明の電子機器は、本体ケースと、この本体ケースの開口部に配置された平面状の表示素子と、この表示素子の表面側に配置された透明タッチパネルと、この透明タッチパネルの表面側に配置された表面フィルムとを備え、前記表面フィルムの外周を、前記透明タッチパネルの外周よりも大きくするとともに、この表面フィルムの外周部は、外周に向かって徐々に肉厚が厚くなる形状とし、これにより所期の目的を達成するものである。
【発明の効果】
【００１１】
以上のように本発明の電子機器は、本体ケースと、この本体ケースの開口部に配置され
た平面状の表示素子と、この表示素子の表面側に配置された透明タッチパネルと、この透明タッチパネルの表面側に配置された表面フィルムとを備え、前記表面フィルムの外周を、前記透明タッチパネルの外周よりも大きくするとともに、この表面フィルムの外周部は、外周に向かって徐々に肉厚が厚くなる形状としたので、使い勝手の良いものとなる。
【００１２】
すなわち、本発明では、透明タッチパネルの表面側に表面フィルムを配置したので、埃は表面フィルムの表面側に溜まることになる。
【００１３】
しかしながら、この表面フィルムの外周を、前記透明タッチパネルの外周よりも大きくし、さらに、この表面フィルムの外周部には、外周に向かって徐々に肉厚が厚くなる形状としたので、表面フィルムの表面側に溜まった埃は、透明タッチパネルや表示素子の外周方向へと、拭き掃除で簡単に除去することができ、極めて使い勝手の良いものとなるのである。
【図面の簡単な説明】
【００１４】
【図１】本発明の一実施形態にかかる電子機器を搭載した自動車を示す正面図
【図２】同、電子機器の分解斜視図
【図３】同、電子機器の透明タッチパネルの平面図
【図４】同、電子機器の表面フィルムの平面図
【図５】同、電子機器の表面フィルムの図４のＡ−Ａ’線断面図
【図６】同、電子機器の要部断面図
【図７】同、電子機器の要部断面図
【発明を実施するための形態】
【００１５】
以下、本発明の一実施形態を、添付図面を用いて説明する。
【００１６】
（実施の形態１）
図１において、１は自動車で、その車内２の前方には運転席３と助手席４が設けられている。
【００１７】
また、運転席３の前方にはハンドル５が設けられ、さらにハンドル５の側方には、電子機器６が配置されている。
【００１８】
この電子機器６は、音楽や映像を再生するもので、映像は表面側に設けた表示部７に表出され、音はスピーカ８から出力されるようになっている。
【００１９】
電子機器６は、図２に示すごとく、箱状で、前面側（運転席３側）に向けて開口した開口部９を有する本体ケース１０と、この本体ケース１０の開口部９に、図７のごとく配置された平面状の表示素子１１と、この表示素子１１の表面側に配置された透明タッチパネル１２と、この透明タッチパネル１２の表面側に配置された表面フィルム１３とを備えている。
【００２０】
前記表示素子１１は液晶タイプ、また、透明タッチパネル１２は感圧式や静電容量式のもので、何れも一般的なものである。
【００２１】
つまり、表示素子１１の映像は、透明タッチパネル１２を透して目視することが出来、また、この表示素子１１に表示させた文字やマークを目印にして透明タッチパネル１２の操作を行うことができるようになっている。
【００２２】
本実施形態の特徴は、図３に示した透明タッチパネル１２の表面側に、図４、図５に示
した透明の表面フィルム１３を、図６のごとく配置し、両者間には接着剤（図示せず）を設けて一体化したことである。
【００２３】
先ず、透明タッチパネル１２は、上述のごとく一般的なものであり、その外周には、配線引き出しのための導電部１２ａが設けられている。
【００２４】
次に、表面フィルム１３は、図６に示すように、その外周が、前記透明タッチパネル１２の外周よりも大きくしている。
【００２５】
また、この表面フィルム１３の外周部１４は、図５に示すように外周に向かって徐々に肉厚が厚くなる形状としており、この外周部１４で透明タッチパネル１２の導電部１２ａを図６のごとく覆った状態としている。
【００２６】
そして、この様に透明タッチパネル１２の表面側に表面フィルム１３を一体化した状態で、図７に示すごとく、本体ケース１０の開口部９に配置した。
【００２７】
このとき、表面フィルム１３の外周部１４の最肉厚部分は、図７に示すごとく、本体ケース１０の開口縁部分よりも前方側に突出させた状態としている。
【００２８】
以上のような構成においては、透明タッチパネル１２の表面側に設けた表面フィルム１３も透明のものであるので、表示素子１１の映像は、表面フィルム１３、透明タッチパネル１２を透して目視することが出来、また、この表示素子１１に表示させた文字やマークを目印にして透明タッチパネル１２の操作を、表面フィルム１３表面で行うことができる。
【００２９】
また、表面フィルム１３表面に溜まった埃は、この表面フィルム１３表面を拭くことで容易に取り除くことが出来る。
【００３０】
このとき、表面フィルム１３表面には、本体ケース１０の開口縁が覆っていないので、拭き掃除は容易に行え、極めて使い勝手の良いものとなる。
【００３１】
また、この表面フィルム１３の外周部１４は、図５に示すように、外周に向かって徐々に肉厚が厚くなる形状としており、この外周部１４で透明タッチパネル１２の導電部１２ａを図６のごとく覆っているので、導電部１２ａの保護も十分に行えるものとなる。
【００３２】
つまり、表面フィルム１３側からの衝撃を、この肉厚の外周部１４で十分に保護することができるのである。
【００３３】
さらに、表面フィルム１３の外周部１４は、図６のごとく、透明タッチパネル１２に対して非接着の状態となっているが、その内方部分の肉厚の状態となっているので、図６の形状を維持することができる。
【００３４】
そして、この状態においては、表面フィルム１３の外周部１４の最肉厚部分は、図７に示すごとく、本体ケース１０の開口縁部分よりも前方側に突出させた状態となっている。
【００３５】
このため、例えば運転手が、安全運転のために、前方を注視した状態で、感覚的に手を電子機器６側に伸ばしたときには、先ずはこの表面フィルム１３の外周部１４を捉え、次の状態では、この外周部１４の傾斜にしたがって手を移動させれば、表示部７の中央部へも容易に移動させることが出来、極めて使い勝手の良いものとなる。
【産業上の利用可能性】
【００３６】
以上のように本発明の電子機器は、本体ケースと、この本体ケースの開口部に配置された平面状の表示素子と、この表示素子の表面側に配置された透明タッチパネルと、この透明タッチパネルの表面側に配置された表面フィルムとを備え、前記表面フィルムの外周を、前記透明タッチパネルの外周よりも大きくするとともに、この表面フィルムの外周部には、外周に向かって徐々に肉厚が厚くなる形状としたので、使い勝手の良いものとなる。
【００３７】
すなわち、本発明では、透明タッチパネルの表面側に表面フィルムを配置したので、埃は表面フィルムの表面側に溜まることになる。
【００３８】
しかしながら、この表面フィルムの外周を、前記透明タッチパネルの外周よりも大きくし、さらに、この表面フィルムの外周部には、外周に向かって徐々に肉厚が厚くなる形状としたので、表面フィルムの表面側に溜まった埃は、透明タッチパネルや表示素子の外周方向へと、拭き掃除で簡単に除去することができ、極めて使い勝手の良いものとなるのである。
【００３９】
このため、自動車用を含め、各種電子機器に活用されるものとなる。
【符号の説明】
【００４０】
１  自動車
２  車内
３  運転席
４  助手席
５  ハンドル
６  電子機器
７  表示部
８  スピーカ
９  開口部
１０  本体ケース
１１  表示素子
１２  透明タッチパネル
１２ａ  導電部
１３  表面フィルム
１４  外周部
【図１】
2014174308.tif 000003
【図２】
2014174308.tif 000004
【図３】
2014174308.tif 000005
【図４】
2014174308.tif 000006
【図５】
2014174308.tif 000007
【図６】
2014174308.tif 000008
【図７】
2014174308.tif 000009